(57)【特許請求の範囲】
【請求項１】
機能基板の収容された親機が壁面に設置されるインターホン装置であって、前記親機の側面に設けられたハンドセット装着部と、前記ハンドセット装着部を着脱自在に覆うカバーと、前記カバーを外すことにより露出する端子設置部とを備え、かつ前記端子設置部にケーブル接続用端子を設けると共に、前記ケーブル接続用端子に、前記壁面より引き出したケーブルを接続したことを特徴とするインターホン装置。
【発明の詳細な説明】
【０００１】
【発明の属する技術分野】
この発明は音声や映像、データなどの情報を伝送及び交信する機能を有するインターホン装置に関する。
【０００２】
【従来の技術】
従来家庭用や業務用として使用されているインターホン装置には、音声や映像データなどの情報を伝送したり、交信する機能を有するものがある。
【０００３】
また従来のインターホン装置は図５に示すように、親機ａと子機ｂより構成されていて、親機ａと子機ｂの間が回線ｃにより接続されており、親機ａ側には、番号などの情報を入力するテンキーｄや、機能を選択する機能キーｅ、音声などの情報を交信するハンドセットｆ、子機ｂに設けられたテレビカメラｊが撮像した映像を表示する映像表示部ｇなどが設けられていると共に、子機ｂ側には、呼び出しボタンｈ及び親機ａとの間で通話を行うマイク及びスピーカｉと、来訪者を撮像するテレビカメラｊなどが設けられており、テレビカメラｊの前面には、テレビカメラｊを保護するガラスｋが設けられている。
【０００４】
一方従来のインターホン装置の親機ａは、上ケースと下ケースより構成されていて、下ケース側には親機ａと子機ｂを接続するためのケーブルを挿通する配線孔（図示せず）が開口されており、この配線孔より下ケース内に複数のケーブルを挿入した状態で、まず設置壁面に下ケースを取付け、次に片手で上ケースを持ちながら、配線孔より下ケース内に挿入されたケーブルを上ケースに設けられたケーブル接続用端子（図示せず）に接続する作業を行っている。
【０００５】
【発明が解決しようとする課題】
しかし従来のインターホン装置では、一方の手で上ケースを持ちながら、他方の手で工具を使用して、複数のケーブルをケーブル接続用端子に接続しなければならないため、接続作業が非常にやりにくいと共に、折角接続したケーブルが他のケーブルを接続している最中に取れてしまうことがよくあり、接続作業に長時間を要して作業能率が良くない。
【０００６】
また上ケース内には電子部品が実装されたプリント基板などの機能基板が収容されているため、下ケースより上ケースを取外してケーブル接続作業を行う際、誤って工具が機能基板に当たってしまい、故障の原因にもなりかねない。
【０００７】
この発明はかかる点に鑑み、ケーブル接続作業が容易かつ短時間ででるインターホン装置を提供することを目的とするものである。
【０００８】
【課題を解決するための手段】
この発明のインターホン装置は、機能基板の収容された親機が壁面に設置されるインターホン装置であって、前記親機の側面に設けられたハンドセット装着部と、前記ハンドセット装着部を着脱自在に覆うカバーと、前記カバーを外すことにより露出する端子設置部とを備え、かつ前記端子設置部にケーブル接続用端子を設けると共に、前記ケーブル接続用端子に、前記壁面より引き出したケーブルを接続したものである。
【０００９】
前記構成により、壁面に親機を取付けた後に、予め端子設置部内壁面より引き込んだケーブルを、両手作業で端子設置部内のケーブル接続用端子に接続することができるため、ケーブルの接続作業が短時間で容易に行えると共に、接続作業中親機の機能基板に工具などを誤って接触させることもなくなり、機能基板を損傷させたり、故障の原因となるなどの不具合を解消することができる。また、親機が大型になることもなく、通常使用時にはカバーによりケーブル接続用端子が覆われて外部へ露出することがないため、体裁も大変よい。
【００２０】
【発明の実施の形態】
この発明の第１の実施の形態になるインターホン装置のケーブル接続装置を図１ないし図３に示す図面を参照して詳述する。
【００２１】
図１は親機本体側ケースの側面に設けられた端子設置部のカバーを開放した状態の正面図、図２は図１の矢印Ａ方向からの矢視図、図３はベース側ケースに親機本体側ケースを取付けた状態の断面図である。
【００２２】
親機の親機本体側ケース１は、前面に番号などの情報を入力するテンキー１ａと、機能を選択する機能キー１ｂなどの操作キー１ｃ、及び図示しない子機に設けられたテレビカメラが撮像した映像を表示する液晶表示器（ＬＣＤ）よりなる映像表示手段２などが設けられており、親機本体側ケース１を壁面７に設置したときに壁面７に対して表出する部分である親機本体側ケース１の一方の側面には、ハンドセット装着部１ｄが、そして他方の側面には端子設置部３が設けられている。
【００２３】
ハンドセット装着部１ｄには、図示しない子機との間で音声による交信を行うハンドセット４が装着されていて、ハンドセット４と親機本体側ケース１の間はカールコード４ａで接続されている。
【００２４】
親機本体側ケース１内には、親機としての機能を実現するための電子部品が実装されたプリント基板よりなる機能基板（図示せず）が収容されていて、この機能基板の一部は端子設置部３側に突出されており、この突出部にケーブル接続用端子６が実装されている。
【００２５】
親機本体側ケース１の前面に設けられた映像表示手段２の後方には凹部１ｈが形成されていて、この凹部１ｈ内に、映像表示手段２を後方より照明する一対のバックライトよりなる照明手段５が左右に離間して設置されていると共に、親機本体側ケース１の端子設置部３側側面には、縦方向に細長い開口部１ｆが開口されている。
【００２６】
この開口部１ｆはケーブル接続用端子６にケーブル８を接続する際、ケーブル接続用端子６を照明手段５により照明するためのもので、ケーブル接続後は開閉自在な蓋１ｇにより閉鎖できるようになっている。
【００２７】
端子設置部３は図１に示すように、縦方向に細長い箱体３ａを有していて、この箱体３ａ内に機能基板に実装されたケーブル接続用端子６が縦方向に設置されており、ケーブル接続用端子６には、壁面７より引き出された複数のケーブル８をそれぞれ結線できるように、上下方向に間隔を存して複数のケーブル取付けねじ６ａが設けられている。
【００２８】
端子設置部３の箱体３ａは前面と後面が開口されていて、後面の開口部３ｂより箱体３ａ内にケーブル８が引き込めるようになっていると共に、箱体３ａの前面開口部３ｃには、ヒンジ９により箱体３ａの側縁に蝶着された蓋体３ｄが開閉自在に設けられている。
【００２９】
一方親機本体側ケース１を取付ける壁面７には、予めベース側ケース１０が取付けられている。
【００３０】
ベース側ケース１０は前面が開口した箱状となっていて、壁面７に親機本体側ケース１を取付けた際、親機本体側ケース１の一方の側面に設けられた端子設置部３の後方に位置するよう壁面７に埋め込まれており、ベース側ケース１０の下面には、壁面７内にケーブルされた複数のケーブル８をベース側ケース１０内へ引き込むためのケーブル引き込み孔１０ａが開口されている。
【００３１】
次に前記構成された第１の実施の形態になるインターホン装置のケーブル接続装置の作用を説明する。
【００３２】
インターホン装置の親機本体側ケース１を壁面７に取付けるに当たっては、まず壁面７内にケーブルされているケーブル８の端末をベース側ケース１０のケーブル引き込み孔１０ａよりベース側ケース１０内に引き込み、この状態でベース側ケース１０を図示しない固着具により壁面７に取付ける。
【００３３】
次に親機本体側ケース１に設けられた端子設置部３の蓋体３ｄを開放して、ベース側ケース１０内に引き込まれたケーブル８を端子設置部３の後面開口部３ｂより箱体３ａ内に引き込んだら、ベース側ケース１０が親機本体側ケース１の端子設置部３の後方に位置するようにして、図示しない取付け手段により壁面７へ親機本体側ケース１を取付ける。
【００３４】
親機本体側ケース１の壁面７への取付けが完了したら、端子設置部３の箱体３ａ内に引き込んだ各ケーブル８を配設接続用端子６の所定位置へケーブル取付けねじ６ａにより取付けるもので、このときケーブル接続作業が両手で行えるため、短時間で容易にケーブル作業が完了する。
【００３５】
また部屋内が暗くて接続作業に支障をきたす場合は、親機本体側ケース１の端子設置部３がわ側面に開口された開口部１ｆを覆う蓋１ｇを開放し、この状態で親機本体側ケース１に外部電源を接続して照明手段５を点灯する。
【００３６】
これによって照明手段５より発せられる光の一部が開口部１ｆより端子設置部３に達して、箱体３ａ内のケーブル接続用端子６が照明されるため、暗い部屋でもケーブル８の接続作業が容易に行える上、誤接続なども未然に防止することができると共に、接続作業中工具などが誤って親機本体側ケース１内の機能基板などに触れることがないので、これらを損傷したり、故障の原因となる心配もない。
【００３７】
以上のようにしてケーブル接続用端子６にケーブル８を接続したら、蓋１ｇにより親機本体側ケース１の開口部１ｆを閉鎖し、次に端子設置部３の開口部３ｃを蓋体３ｄにより閉鎖するもので、ケーブル接続後は親機本体側ケース１内の機能基板と子機との間がケーブル８により電気的に接続されるため、親機と子機の間で音声や映像による情報の伝送や交信が行えると共に、使用中活電部となるケーブル接続用端子３のケーブル取付けねじ３ａは蓋体３ｄで覆われているため、誤って触れる心配がない上、ケーブル取付けねじ６ａが外部へ露出することもないので体裁も大変よい。
【００３８】
また照明手段５により映像表示手段２が後方より照明されるため、暗い場所でも鮮明な映像が見られるようになる。
【００３９】
なお前記実施の形態では、親機本体側ケース１の側面に端子設置部３を設置したが、図４に示す第２の実施の形態のように、端子設置部３を親機本体側ケース１の側面に設けられたハンドセット装着部１ｄに設けてもよい。
【００４０】
次にこの第２の実施の形態を説明する。なお第１の実施の形態と同一部分は同一符号を付してその説明は省略する。
【００４１】
この第２の実施の形態では、親機本体側ケース１の側面に設けられたハンドセット装着部１ｄに着脱自在なカバー１ｅを設けて、このカバー１ｅを取外すと、ハンドセット装着部１ｄ内に設置された端子設置部３が露出するようになっている。
【００４２】
端子設置部３には、縦方向にケーブル接続用端子６が設置されており、ケーブル接続用端子６には、壁面７より引き出されたケーブル８を接続する複数のケーブル取付けねじ６ａが上下方向に間隔を存して設けられている。
【００４３】
次に前記構成された第２の実施の形態になるインターホン装置のケーブル接続装置の作用を説明する。
【００４４】
まず第１の実施の形態と同様にしてベース側ケース１０を壁面７に取付けたら、ハンドセット装着部１ｄのカバー１ｅを図４に示すように取外した状態で、ベース側ケース１０がハンドセット装着部１ｄの後方に位置するようにして、壁面７に親機本体側ケース１を取付ける。
【００４５】
親機本体側ケース１を壁面７に取付けたら、壁面７内よりベース側ケース１０内より引き出して端子設置部３に設けられたケーブル接続用端子６の所定位置にケーブル取付けねじ６ａにより取付けるもので、ケーブル接続作業が両手で行えるため、短時間で容易にケーブル作業が完了する。
【００４６】
またケーブル接続作業が完了したら、ハンドセット装着部１ｄにカバー１ｅを取付けて端子設置部３内のケーブル接続用端子６を覆った後、ハンドセット装着部１ｄにハンドセット４を装着して使用するもので、使用中はカバー１ｅにより端子設置部３内のケーブル接続用端子６のケーブル取付けねじ６ａが覆われているため、誤ってケーブル接続用端子６に触れる心配がない上、ケーブル取付けねじ６ａが外部へ露出することもないので体裁もよい。
【００４７】
なお端子設置部３に設けられたケーブル接続用端子６の端子名称を表示する表示部１７に蓄光材を使用して、この蓄光材より発せられる光により表示部１７またはケーブル接続用端子６を照明するように構成すれば、外部電源が設置されていない場所でも、ケーブル接続用端子６の端子名称の表示を見ることができるようになる。
【００４８】
【発明の効果】
この本発明は以上詳述したように、機能基板の収容された親機が壁面に設置されるインターホン装置において、前記親機の側面に設けられたハンドセット装着部と、前記ハンドセット装着部を着脱自在に覆うカバーと、前記カバーを外すことにより露出する端子設置部とを備え、かつ前記端子設置部にケーブル接続用端子を設けると共に、前記ケーブル接続用端子に、前記壁面より引き出したケーブルを接続したことから、壁面に親機本体側ケースを取付けた後、予め端子設置部内壁面より引き込んだケーブルを、両手作業で端子設置部内のケーブル接続用端子に接続することができるため、ケーブルの接続作業が短時間で容易に行えると共に、接続作業中親機の機能基板に工具などを誤って接触させることもなくなり、機能基板を損傷させたり、故障の原因となるなどの不具合を解消することができる。また、親機が大型になることもなく、通常使用時にはカバーによりケーブル接続用端子が覆われて外部へ露出することがないため、体裁も大変よい。
【図面の簡単な説明】
【図１】この発明の第１の実施の形態になるインターホン装置の親機本体側ケースの側面に設けられた端子設置部のカバーを開放した状態の斜視図
【図２】図１の矢印Ａ方向からの矢視図
【図３】この発明の第１の実施の形態になるインターホン装置のベース側ケースに親機本体側ケースを取付けた状態の断面図
【図４】この発明の第２の実施の形態になるインターホン装置の分解斜視図
【図５】従来のインターホン装置の説明図
【符号の説明】
１    親機本体側ケース
１ｄ  ハンドセット装着部
１ｅ  カバー
１ｆ  開口部
１ｇ  蓋
１ｈ  凹部
２    映像表示手段
３    端子設置部
３ａ  箱体
３ｂ，３ｃ  開口部
３ｄ  蓋体
４    ハンドセット
４ａ  カールコード
５    照明手段
６    ケーブル接続用端子
６ａ  ケーブル取付けねじ
７    壁面
８    ケーブル
９    ヒンジ
１０  ベース側ケース
１０ａ  ケーブル引き込み口
【図１】
0004183874.tif 000002
【図２】
0004183874.tif 000003
【図３】
0004183874.tif 000004
【図４】
0004183874.tif 000005
【図５】
0004183874.tif 000006